(57)【要約】【課題】  カラオケシステムを利用する歌唱者が、実際に歌唱した際に聞いた自らの歌唱音声と同じ雰囲気や印象で録音した歌唱音声を聴取することを可能とする。【解決手段】  現にカラオケシステム１１にログインしている利用者を、利用者ＩＤに基づき特定して管理するログイン利用者管理手段３７と、任意の利用者について、空気伝導マイク（コンデンサマイク２５）と骨伝導マイク２４とから同時入力される各音声それぞれの周波数特性に基づき、空気伝導のみの音声を、これに骨伝導を加えて合成した音声に変換するための周波数変換データを取得する周波数変換データ取得手段３８と、任意の利用者が所望の楽曲を歌唱した際に、その歌唱音声の生録音データ３３ｂを当該利用者の周波数変換データに基づいて変換録音データ３３ｃに変換してなる歌唱録音データを作成する変換録音データ作成手段３９と、を備える。【選択図】  図１
2010176042.tif 000002
【特許請求の範囲】
【請求項１】
歌唱音声の録音機能を有し、録音された歌唱音声を再生する際に、当該歌唱を行った歌唱者が違和感なく自らの歌唱音声を聴取することが可能なカラオケシステムであって、
現にカラオケシステムにログインしている利用者を、利用者ＩＤに基づき特定して管理するログイン利用者管理手段と、
任意の利用者について、空気伝導マイクと骨伝導マイクとから同時入力される各音声それぞれの周波数特性に基づき、空気伝導のみの音声を、これに骨伝導を加えて合成した音声に変換するための周波数変換データを取得する周波数変換データ取得手段と、
任意の利用者が所望の楽曲を歌唱した際に、その歌唱音声の生録音データを当該利用者の前記周波数変換データに基づいて変換録音データに変換してなる歌唱録音データを作成する変換録音データ作成手段と、
を備えたことを特徴とする歌唱音声録音カラオケシステム。
【請求項２】
前記変換録音データ作成手段は、複数の利用者が歌唱した場合に、一の利用者の歌唱音声のみを変換録音データに変換すると共に、他の利用者の歌唱音声は変換録音データに変換しないで、前記複数の利用者の変換録音データ及び生録音データからなる歌唱録音データを作成する、
ことを特徴とする請求項１に記載の歌唱音声録音カラオケシステム。
【発明の詳細な説明】
【技術分野】
【０００１】
本発明は、歌唱音声の録音機能を有するカラオケシステムに関するものであり、特に、録音された歌唱音声を再生する際に、当該歌唱を行った歌唱者が違和感なく自らの歌唱音声を聴取することができるようにしたものである。
【背景技術】
【０００２】
最近のカラオケシステムには録音機能を有するものがあり、歌唱者の歌唱音声をＣＤやＤＶＤ等の記録媒体に録音することにより、自宅等で自らの歌唱音声を聴取することができる。
ところで、人間の音声は、自分の声を直接聞く場合と、録音された自分の音声を再生して聞く場合とで、声の雰囲気や印象が大きく異なっている。これは、自らの音声を聴く場合には、空気伝導だけではなく骨伝導による音声も聞いているためである。すなわち、他人の音声を聞く場合には、空気を伝わって鼓膜に達した音声のみを聞くことになるが、自分が発声した音声を聞く場合には、空気を伝わって鼓膜に達した音声だけではなく、これに加えて自らの頭蓋骨を伝わって直接聴神経に達した音声も聞くことになるためである。
【０００３】
従来、骨伝導マイクを用いて入力された音声を、空気伝導と同様の音声に変換して、聴取者に対して違和感を与えないようにした技術が開示されている（特許文献１参照）。この特許文献１に記載された技術は、マイク着用者の発話音声による骨振動を電気信号に変換する骨伝導マイクと、骨伝導マイクが変換した信号の周波数特性を調整するイコライザとを備え、イコライザから出力された信号を発話音声信号として次段に出力するマイク装置に適用されるものである。このマイク装置は、マイク着用者の発話音声による外界の空気振動を電気信号に変換する設定用マイクと、設定モード時に、骨伝導マイクが変換した信号と設定用マイクが変換した信号とを比較し、この比較結果に基づいて、イコライザから出力される信号の周波数特性が、設定用マイクが変換した信号の周波数特性に近づくようにイコライザの特性を設定する設定手段とを備えている。そして、骨伝導マイクから入力された信号は、コンデンサマイクから入力された信号よりも高音域で若干レベルが低いため、イコライザには高音域を強調するようなイコライジング特性が設定されるようになっている。
【先行技術文献】
【特許文献】
【０００４】
【特許文献１】特開２００２−１２５２９８号公報
【発明の概要】
【発明が解決しようとする課題】
【０００５】
上述したように、カラオケシステムを利用して自らの歌唱音声を記録媒体に録音し、後に聴取しようとした場合には、空気伝導により録音した歌唱音声のみを聴くことになり、これに違和感を覚えるため、自らが歌唱した際に聴取した歌唱音声と同じ雰囲気や印象で録音された歌唱音声を聴取したいという要望がある。
【０００６】
この点、特許文献１に記載された技術は、音声を聴取する場合に、空気伝導と、これに骨伝導を加えた場合の周波数特性の違いに着目して、聴取者に対して違和感を与えないようにすることができる。しかし、特許文献１に記載された技術は、騒音が大きい場所でトランシーバや携帯電話を使用することを前提として、骨伝導マイクから入力された音声を調整して聴取者に対して出力する技術であり、コンデンサマイクやダイナミックマイク等からなる空気伝導マイクを用いて歌唱音声の入力を行っている一般的なカラオケシステムにそのまま適用することはできない。
【０００７】
本発明は、上述した事情に鑑み提案されたもので、カラオケシステムを利用する歌唱者が、実際に歌唱した際に聞いた自らの歌唱音声と同じ雰囲気や印象で録音した歌唱音声を聴取することが可能な歌唱音声録音カラオケシステムを提供することを目的とする。
【課題を解決するための手段】
【０００８】
本発明の歌唱音声録音カラオケシステムは、上述した目的を達成するため、以下の特徴点を有している。すなわち、本発明の歌唱音声録音カラオケシステムは、歌唱音声の録音機能を有し、録音された歌唱音声を再生する際に、当該歌唱を行った歌唱者が違和感なく自らの歌唱音声を聴取することが可能なカラオケシステムであって、現にカラオケシステムにログインしている利用者を、利用者ＩＤに基づき特定して管理するログイン利用者管理手段と、任意の利用者について、空気伝導マイクと骨伝導マイクとから同時入力される各音声それぞれの周波数特性に基づき、空気伝導のみの音声を、これに骨伝導を加えて合成した音声に変換するための周波数変換データを取得する周波数変換データ取得手段と、任意の利用者が所望の楽曲を歌唱した際に、その歌唱音声の生録音データを当該利用者の周波数変換データに基づいて変換録音データに変換してなる歌唱録音データを作成する変換録音データ作成手段と、を備えたことを特徴とするものである。
【０００９】
このような構成からなる歌唱音声録音カラオケシステムでは、ログイン利用者管理手段の機能により、カラオケシステムにログインしている利用者は、その利用者ＩＤを用いて管理される。また、周波数変換データ取得手段の機能により、空気伝導マイクと骨伝導マイクとを用いて同時に入力される空気伝導と骨伝導の音声の周波数特性に基づいて、実際に歌唱した際に聞いた自らの歌唱音声と同じ雰囲気や印象で録音するための周波数変換データを取得する。この周波数変換データは、空気伝導のみの音声を、これに骨伝導を加えて合成した音声に変換するためのデータである。そして、変換録音データ作成手段の機能により、歌唱音声を発声した利用者の周波数変換データに基づいて、歌唱音声の生録音データを変換録音データに変換してなる歌唱録音データを作成する。
【００１０】
また、変換録音データ作成手段の機能として、複数の利用者が歌唱した場合に、一の利用者の歌唱音声のみを変換録音データに変換すると共に、他の利用者の歌唱音声は変換録音データに変換しないで、複数の利用者の変換録音データ及び生録音データからなる歌唱録音データを作成する機能を付加することが可能である。
【００１１】
このような構成からなる歌唱音声録音カラオケシステムは、例えば２人の利用者がデュエット曲を歌唱する際に利用するものである。この場合、変換録音データ作成手段の機能により、一の利用者の歌唱音声のみが変換されて変換録音データとされ、他の利用者の歌唱音声は変換されない。そして、一の利用者の変換録音データと、他の利用者の生録音データとからなる歌唱録音データが作成される。
【発明の効果】
【００１２】
本発明の歌唱音声録音カラオケシステムによれば、利用者が所望の楽曲を歌唱した際に、当該利用者の周波数変換データに基づいて、カラオケマイクから入力される空気伝導のみの音声を、これに骨伝導を加えて合成した音声に変換することができる。したがって、当該楽曲を歌唱した利用者が、周波数特性が変換された歌唱音声を聴取すると、空気伝導と骨伝導とがミックスされた歌唱音声を聴取することになるので、自らが歌唱した際と同じ雰囲気や印象で違和感なく録音された歌唱音声を聴取することができる。
また、デュエット曲のように複数の利用者が歌唱する場合に、一の利用者の歌唱音声のみを変換録音データに変換すると共に、他の利用者の歌唱音声は変換録音データに変換しない構成とした場合には、一の利用者にとってみれば、上述したように、空気伝導と骨伝導とがミックスされた自らの歌唱音声と、他の利用者については空気伝導のみの歌唱音声とを聴取することになるので、自らが他の利用者と一緒に歌唱した際と同じ雰囲気や印象で違和感なく録音された歌唱音声を聴取することができる。
【図面の簡単な説明】
【００１３】
【図１】本発明の実施形態に係る歌唱音声録音カラオケシステムのブロック図。
【図２】予約待ち行列の構成を示す説明図。
【図３】利用者別周波数変換データベースの構成を示す説明図。
【図４】周波数変換データの取得を説明する模式図。
【図５】周波数特性の変換を説明する模式図。
【図６】デュエット曲における周波数特性の変換を説明する模式図。
【発明を実施するための形態】
【００１４】
以下、図面を参照して、本発明の歌唱音声録音カラオケシステムの実施形態を説明する。
図１は本発明の実施形態に係る歌唱音声録音カラオケシステムのブロック図である。また、図２は予約待ち行列の構成を示す説明図、図３は利用者別周波数変換データベースの構成を示す説明図である。
【００１５】
本発明の実施形態に係る歌唱音声録音カラオケシステム（以下、カラオケシステムと略記する）は、録音された歌唱音声を再生する際に、当該歌唱を行った利用者が違和感なく自らの歌唱音声を聴取できるようになっている。
【００１６】
＜カラオケシステム＞
本発明の実施形態に係るカラオケシステム１１は、図１に示すように、カラオケ本体２１、カラオケリモコン装置２２、ミキシングアンプ２３、骨伝導マイク２４、コンデンサマイク２５、スピーカ２６、表示装置２７を備えている。カラオケ本体２１と表示装置２７とは、有線方式又は無線方式により接続されている。
【００１７】
＜カラオケリモコン装置＞
カラオケリモコン装置２２は、ユーザインタフェース機能を備えており、カラオケ本体２１の送受信手段３５に対して有線方式又は無線方式によりデータの送受信を行うようになっている。このカラオケリモコン装置２２は、選曲手段２２ａとして機能する機器及びプログラム、データの送受信を行うための回路基板及びプログラム、カードリーダ等からなる利用者ＩＤ取得手段２２ｄ、フラッシュメモリ等からなる記憶手段（図示せず）を備えている。
【００１８】
＜選曲手段／楽曲索引データベース＞
選曲手段２２ａは、任意の利用者が歌唱を所望する楽曲について、当該楽曲の楽曲ＩＤに当該利用者の利用者ＩＤを付帯させて選曲登録させるためのプログラム及び機器からなる。すなわち、選曲手段２２ａは、入出力手段２２ｂ及び楽曲索引データベース２２ｃを備えおり、入出力手段２２ｂからの入力に基づき、楽曲索引データベース２２ｃを参照して楽曲を検索する。そして、予約管理手段３６の機能より、楽曲の楽曲ＩＤに当該利用者の利用者ＩＤを付帯させて選曲登録させる。この際、録音が指示されている場合には録音フラグを付帯させ、周波数変換が指示されている場合には録音フラグに加えて周波数変換フラグを付帯させるようになっている。
【００１９】
楽曲索引データベース２２ｃは、カラオケシステム１１で演奏に供される楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２０】
＜入出力手段＞
入出力手段２２ｂは、タッチパネル式の液晶表示装置からなり、この入出力手段２２ｂにタッチ入力することにより、利用者のログイン操作、楽曲検索操作、選曲指定操作、歌唱パートナー（デュエット相手）の指定操作等、種々の操作が可能となっている。
【００２１】
＜利用者ＩＤ取得手段＞
利用者ＩＤ取得手段２２ｄは、利用者がカラオケシステム１１を利用する際に、利用者が所持するＩＤ媒体２８から利用者ＩＤを取得するための電子回路及びプログラムからなる。利用者ＩＤ取得手段２２ｄで取得した利用者ＩＤは、ＲＡＭ３３に一時的に記憶され、ログイン利用者管理手段３７で管理される。ＩＤ媒体２８は、例えば、非接触型のＩＣカード、携帯電話、携帯情報端末等からなり、利用者ＩＤを記憶して、利用者ＩＤ取得手段２２ｄとの間でデータの送受信を行うことができるようになっている。
【００２２】
＜カラオケ本体＞
カラオケ本体２１は、中央制御手段３１、ＲＯＭ３２、ＲＡＭ３３、ＨＤＤ３４、送受信手段３５、予約管理手段３６、ログイン利用者管理手段３７、周波数変換データ取得手段３８、変換録音データ作成手段３９、Ａ／Ｄ変換手段４０、音楽再生制御手段４１、映像再生制御手段４２、データ書込手段４３を備えている。
【００２３】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたアプリケーションプログラムに従って動作することにより、制御機能を発揮することができるようになっている。
【００２４】
＜ＲＯＭ／ＲＡＭ＞
ＲＯＭ３２は、カラオケ本体２１を構成する各機器を制御するためのアプリケーションプログラムデータや数値データを記憶するための機器で、例えば半導体メモリ等で構成される。また、ＲＡＭ３３は、アプリケーションプログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａ、生録音データ３３ｂ、変換録音データ３３ｃが記憶される。予約待ち行列３３ａ、生録音データ３３ｂ、変換録音データ３３ｃについては、後に詳述する。
【００２５】
＜ＨＤＤ／楽曲データベース／映像データベース＞
ＨＤＤ３４には、楽曲データベース３４ａ、映像データベース３４ｂ、利用者別周波数変換データベース３４ｃが格納されている。なお、ＨＤＤ３４に替えて、あるいはＨＤＤ３４と共に、データを書き替え可能なＤＶＤ等の大容量記憶装置を用いてもよい。
【００２６】
楽曲データベース３４ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期された楽曲の歌詞文字データである。映像データベース３４ｂは、演奏される楽曲に対応した背景映像を、当該楽曲の楽曲ＩＤに対応させた映像ファイルとして所定数格納したデータベースである。利用者別周波数変換データベース３４ｃについては、後に詳述する。
【００２７】
＜予約管理手段＞
予約管理手段３６は、利用者により選曲手段２２ａの機能を用いて選曲され、送受信手段３５を介して送信された当該選曲者の利用者情報（例えば利用者ＩＤ）、選曲された楽曲の楽曲ＩＤ、録音フラグ、周波数変換フラグを紐付けして予約待ち行列３３ａとしてＲＡＭ３３に格納し、管理するためのプログラムである。予約待ち行列３３ａは、図２に示すように、楽曲の演奏順に、楽曲ＩＤ、利用者ＩＤ、録音フラグ、周波数変換フラグが紐付けされて構成されている。そして、予約待ち行列３３ａの順番に従って楽曲が演奏される。後に詳述するが、楽曲を演奏する際に、当該楽曲について録音フラグがセットされていると、生音声とカラオケ演奏音とが録音され、周波数変換フラグがセットされていると、生音声の周波数特性が変換された変換録音データ３３ｃとカラオケ演奏音とが録音される。なお、楽曲選択の表示や予約待ち行列３３ａの表示は、カラオケリモコン装置２２の入出力手段２２ｂ及び表示装置２７のいずれか一方、あるいは双方で行うことができる。
【００２８】
＜ログイン利用者管理手段＞
ログイン利用者管理手段３７は、現に当該カラオケシステム１１にログインしている利用者を、利用者ＩＤに基づき特定して管理するためのプログラムからなる。すなわち、ログイン利用者管理手段３７では、利用者ＩＤ取得手段２２ｄにより利用者ＩＤが取得されると、この利用者ＩＤに基づいてカラオケシステム１１にログインしている利用者を特定して管理する。
【００２９】
＜周波数変換データ取得手段＞
周波数変換データ取得手段３８は、任意の利用者について、周波数変換データを取得するための機器及びプログラムからなる。すなわち、周波数変換データ取得手段３８は、空気伝導マイクであるコンデンサマイク２５と骨伝導マイク２４とから同時入力される各音声それぞれの周波数特性に基づき、空気伝導のみの音声を、これに骨伝導を加えて合成した音声に変換するための周波数変換データを取得する。
【００３０】
空気伝導による歌唱音声の周波数特性を取得するためには、カラオケシステム１１で一般的に使用されているコンデンサマイク２５からの音声入力を利用する。また、骨伝導による歌唱音声の周波数特性を取得するためには、骨伝導マイク２４からの音声入力を利用する。また、コンデンサマイク２５と骨伝導マイク２４とが一体となったものを利用することもできる。なお、周波数変換データ取得手段３８で利用するマイクは、歌唱音声の周波数特性を取得するための専用のマイクであってもよいし、カラオケシステム１１を利用した歌唱に用いるマイクを兼用してもよい。カラオケシステム１１を利用した歌唱に用いるマイクを兼用する場合には、コンデンサマイク２５の機能だけではなく、骨伝導マイク２４の機能を備えている必要がある。コンデンサマイク２５からの空気伝導音声信号と骨伝導マイク２４からの骨伝導音声信号は、Ａ／Ｄ変換手段４０の機能によりデジタルデータに変換される。
【００３１】
周波数変換データを取得するための具体的な機器構成は、図示しないが、上述したコンデンサマイク２５及び骨伝導マイク（振動センサ）２４の他に、アンプ、比較制御器を備えている。利用者がコンデンサマイク２５に向かって発声すると、コンデンサマイク２５に入力された音声信号はアンプにより増幅されて比較制御器に入力される。また、比較制御器には、アンプで増幅された骨伝導マイク２４の信号も入力される。
【００３２】
比較制御器では、コンデンサマイク２５及び骨伝導マイク２４から入力された２つの信号を周波数分析して周波数スペクトルを演算し、その差分データを求める。そして、求めた差分データに基づく周波数変換データを用いて、空気伝導のみによる歌唱音声の周波数特性を、これと骨伝導を加えて合成した歌唱音声の周波数特性に変換するようなイコライジング特性をイコライザに設定して周波数特性の変換を行う。これにより、周波数特性が変換されて録音された歌唱音声を再生する際に、歌唱者が違和感なく自らの歌唱音声を聴取することができる。取得した利用者別周波数変換データは、利用者別周波数変換データベース３４ｃとしてＨＤＤ３４に記録される。また、利用者別に単一の周波数変換データを取得して記録するのではなく、利用者別に、楽曲毎の周波数変換データを取得して記録するような構成としてもよい。
【００３３】
なお、利用者別の周波数変換データを取得する処理は、カラオケシステム１１を利用した歌唱とは無関係に適宜行ってもよいし、カラオケシステム１１を利用して歌唱を行う際に行ってもよい。カラオケシステム１１を利用した歌唱とは無関係に利用者別の周波数変換データを取得する際には、利用者が歌唱を行うのではなく、任意の音声を発音してもよい。この際、周波数変換データのサンプリングに適した文章を用意して、これを利用者が読み上げることにより、周波数変換データを取得することが好ましい。
【００３４】
＜利用者別周波数変換データベース＞
利用者別周波数変換データベース３４ｃは、利用者別の周波数変換データを記録したデータベースであり、図３に示すように、利用者別に、空気伝導のみによる歌唱音声の周波数特性を、これと骨伝導を加えて合成した歌唱音声の周波数特性に変換するための周波数変換データが記録されている。なお、さらに楽曲毎に周波数変換データを求める場合には、利用者別に、楽曲毎の周波数変換データが記録される。さらに、周波数変換データが記録されていない利用者が本実施形態のカラオケシステムを利用する場合を考慮して、平均的な周波数変換データとしてデフォルトの周波数変換データを記録してもよい。この場合には、男女の別、年代別等にデフォルトの周波数変換データを記録することが好ましい。図３に示す例では、デフォルトの周波数変換データとして、男声、女声毎にそれぞれ年代を２つに分けたデータ（アダルトとヤング）を用意している。
【００３５】
＜変換録音データ作成手段＞
変換録音データ作成手段３９は、任意の利用者が所望の楽曲を歌唱した際に、その歌唱音声の生録音データを当該利用者の周波数変換データに基づいて変換録音データ３３ｃに変換し、歌唱録音データを作成するためのプログラムからなる。
すなわち、コンデンサマイク２５からＡ／Ｄ変換手段４０を介して入力された歌唱音声は、生録音データ３３ｂとしてＲＡＭ３３に記憶される。ここで、周波数変換フラグが付帯されている場合には、変換録音データ作成手段３９の機能により生録音データ３３ｂが周波数変換されて変換録音データ３３ｃとなってＲＡＭ３３に記憶され、この変換録音データ３３ｃが歌唱録音データとなる。後に詳述するが、音楽再生制御手段４１の機能により、歌唱録音データとカラオケ演奏音データとが合成されて歌入りカラオケ演奏音データが作成され、データ書込手段４３の機能により、ＣＤ等の可搬型記録媒体に書き込むようになっている。
【００３６】
上述したように、生録音データ３３ｂとは、コンデンサマイク２５からＡ／Ｄ変換手段４０を介して入力された音声データのことであり、この生録音データ３３ｂを変換録音データ作成手段３９の機能により変換すると変換録音データ３３ｃとなる。また、歌唱録音データは、周波数変換フラグが付帯された楽曲の場合と、周波数変換フラグが付帯されていない楽曲の場合とでその構成が異なる。すなわち、周波数変換フラグが付帯された楽曲の場合には、生録音データ３３ｂの周波数特性が変換された変換録音データ３３ｃが歌唱録音データとなる。一方、周波数変換フラグが付帯されていない楽曲の場合には、生録音データ３３ｂがそのまま歌唱録音データとなる。なお、後に詳述するが、デュエット曲のように複数の利用者により歌唱される楽曲において、一の利用者について周波数特性の変換が行われる場合には、当該一の利用者については変換録音データ３３ｃを用いると共に、他の利用者については生録音データ３３ｂを用いて、歌唱録音データが作成される。
【００３７】
＜データ書込手段＞
データ書込手段４３は、歌唱録音データとカラオケ演奏音データとからなる歌入りカラオケ演奏音データを、ＣＤやＤＶＤ等の可搬型情報記録媒体に書き込むためのプログラム及び機器からなる。本実施形態では、生録音データ３３ｂと、変換録音データ作成手段３９により作成された変換録音データ３３ｃとを一旦ＲＡＭ３３に記憶し、生録音データ３３ｂや変換録音データ３３ｃからなる歌唱音声データをＲＡＭ３３から読み出して、音楽再生制御手段４１の機能により、歌唱録音データとカラオケ演奏音データとを合成して歌入りカラオケ演奏音データを作成し、データ書込手段４３の機能により、ＣＤやＤＶＤ等の可搬型情報記録媒体に書き込んでいる。なお、生録音データ３３ｂや変換録音データ３３ｃからなる歌唱録音データを一旦ＲＡＭ３３に記憶することなく、直接、音楽再生制御手段４１に送信し、歌唱録音データをカラオケ演奏音データと合成し、データ書込手段４３の機能により、ＣＤやＤＶＤ等の可搬型情報記録媒体に書き込んでもよい。
【００３８】
＜音楽再生制御手段＞
音楽再生制御手段４１は、楽曲ＩＤに基づいて楽曲データベース３４ａから抽出された演奏データをデジタル再生すると共にアナログ変換してミキシングアンプ２３に出力するための電子回路である。また、音楽再生制御手段４１は、ミキシングアンプ２３に出力された演奏データと同等のデータであるカラオケ演奏音データと、ＲＡＭ３３から読み出した生録音データ３３ｂや変換録音データ３３ｃからなる歌唱録音データとを合成して、歌入りカラオケ演奏音データを作成する機能も有している。なお、音楽再生制御手段４１で歌入りカラオケ演奏音データを作成する際には、ミキシングアンプ２３に出力される演奏データ（アナログデータ）をＡ／Ｄ変換手段４０によりデジタル変換したカラオケ演奏音データが使用される。
【００３９】
ミキシングアンプ２３は、コンデンサマイク２５から入力された歌唱者の歌唱音声信号と、音楽再生制御手段４１から送出される演奏音声信号とをミキシングすると共に、アンプ機能により増幅してスピーカ２６から出力させるための装置である。なお、コンデンサマイク２５の数は１本に限られず、２本以上であってもよい。また、周波数変換データ取得手段３８で使用するマイクは、空気伝導及び骨伝導による音声を集音するために、通常のコンデンサマイク２５に加えて骨伝導マイク２４を備えている必要があるが、このような機能を兼ね備えた特殊なマイクを使用してもよい。この場合には、ミキシングアンプ２３におけるミキシングにおいて、通常のコンデンサマイク２５から入力された歌唱音声信号のみが使用される。
【００４０】
＜映像再生制御手段／表示装置＞
映像再生制御手段４２は、楽曲の演奏中に、映像データベース３４ｂから抽出した映像データ、及び楽曲データベース３４ａから抽出した楽曲データのうちの歌詞テロップデータ（歌詞文字データ）を当該楽曲の演奏データに同期させて表示装置２７に出力するための電子回路からなる。さらに、映像再生制御手段４２は、カラオケリモコン装置２２を介した利用者からの操作指示による予約楽曲リストの表示等を表示装置２７に表示させる機能も有している。
【００４１】
表示装置２７は、カラオケ演奏時の映像、歌詞テロップ等を表示するための装置で、例えば、ＣＲＴディスプレイ、液晶ディスプレイ、プラズマディスプレイ等により構成される。
【００４２】
＜送受信手段＞
送受信手段３５は、カラオケリモコン装置２２との間でデータの送受信を行うための電子回路及びプログラムからなる。
【００４３】
＜音声周波数の調整＞
次に、図４及び図５を参照して、音声周波数の調整について順を追って説明する。図４は、周波数変換データの取得を説明する模式図、図５は、周波数特性の変換を説明する模式図である。
【００４４】
本実施形態のカラオケシステム１１における録音に先立ち、周波数変換データ取得手段３８の機能により利用者別の周波数変換データが取得される。
すなわち、図４に示すように、カラオケリモコン装置２２の入出力手段２２ｂに表示された目次画面において「音声サンプリング」ボタンが操作されると、周波数変換データ取得手段３８の機能により利用者別の周波数変換データが取得される。具体的には、骨伝導マイク２４及びコンデンサマイク２５から同時入力された音声信号データがＲＡＭ３３に記憶される。そして、周波数変換データ取得手段３８では、骨伝導マイク２４から入力されてＲＡＭ３３に記憶された骨伝導録音データと、コンデンサマイク２５から入力されてＲＡＭ３３に記憶された生録音データとに基づき利用者別周波数変換データを取得して、利用者別周波数変換データベース３４ｃに格納する。なお、周波数変換データの取得処理は、カラオケシステム１１を利用した歌唱とは別処理として行ってもよいし、利用者が任意の楽曲を歌唱する際に、同時に周波数変換データの取得処理を行ってもよい。
【００４５】
また、歌唱音声の録音を行うには、図５に示すように、カラオケリモコン装置２２の入出力手段２２ｂに表示された選曲画面において、「録音」ボタンが操作されると、当該楽曲の録音が設定される。また、「自分の声で録音」ボタンが操作されると、周波数特性を変換した録音を行うことができる。このような設定が行われると、予約待ち行列３３ａにおいて、その旨のフラグ（録音フラグ、周波数変換フラグ）がセットされる。
【００４６】
そして、録音フラグが付帯された楽曲が演奏されると、コンデンサマイク２５からＡ／Ｄ変換手段４０を介して入力された生録音データ３３ｂをＲＡＭ３３に記憶する。さらに、周波数変換フラグが付帯された楽曲の場合には、変換録音データ作成手段３９の機能により、ＲＡＭ３３に記憶された生録音データ３３ｂを読み出し、利用者別周波数変換データベース３４ｃから読み出した当該楽曲の選曲者の周波数変換データに基づき変換録音データ３３ｃに変換して、ＲＡＭ３３に記憶する。この場合には、変換録音データ３３ｃが歌唱録音データとなる。
【００４７】
そして、音楽再生制御手段４１の機能により、ＲＡＭ３３から読み出した歌唱録音データ（変換録音データ）と、ＨＤＤ３４の楽曲データベース３４ａから抽出された演奏データと同等のカラオケ演奏音データを合成して歌入りカラオケ演奏音データを作成し、この歌入りカラオケ演奏音データを、データ書込手段４３の機能によりＣＤ等の可搬型記録媒体に書き込む。なお、上述したように、音楽再生制御手段４１で歌入りカラオケ演奏音データを作成する際には、ミキシングアンプ２３に出力される演奏データ（アナログデータ）をＡ／Ｄ変換手段４０によりデジタル変換したカラオケ演奏音データが使用される。
【００４８】
＜デュエット曲の音声周波数の調整＞
次に、図６を参照して、選曲予約された楽曲がデュエット曲であった場合の音声周波数の調整について説明する。図６は、デュエット曲における周波数特性の変換を説明する模式図である。
【００４９】
選曲予約された楽曲がデュエット曲であり、さらに周波数変換フラグがセットされている場合には、デュエット曲の選曲者の歌唱音声と選曲者以外の歌唱音声とを区別し、当該選曲者の歌唱音声のみについて、周波数変換データに基づく周波数変換が行われる。
【００５０】
選曲者の歌唱音声と選曲者以外の歌唱音声とを区別するには、例えば、選曲者の利用者ＩＤと、この選曲者が使用するコンデンサマイク２５のマイクＩＤとを紐付けして、選曲者が使用するコンデンサマイク２５からの入力音声を選曲者の歌唱音声とみなし、他のコンデンサマイク２５からの入力音声を選曲者以外の歌唱音声とみなせばよい。また、選曲者の利用者ＩＤと、この選曲者が歌唱するパートとを紐付けして、選曲者が歌唱するパートについては選曲者の歌唱音声とみなし、他のパートについては選曲者以外の歌唱音声とみなせばよい。
【００５１】
例えば、図６に示すように、歌唱音声の録音が指示されたデュエット楽曲が演奏されると、２本のコンデンサマイク２５からＡ／Ｄ変換手段４０を介して入力された各生録音データ３３ｂをＲＡＭ３３に記憶する。そして、周波数変換を行う利用者（例えば選曲者）については、変換録音データ作成手段３９の機能により、ＲＡＭ３３に記憶された生録音データ３３ｂを読み出し、利用者別周波数変換データベース３４ｃから読み出した当該楽曲の選曲者の周波数変換データに基づき変換録音データ３３ｃに変換して、ＲＡＭ３３に記憶する。一方、周波数変換を行わない利用者（例えば選曲者以外の利用者）につては、生録音データ３３ｂに対する周波数特性の変換を行わない。
【００５２】
そして、音楽再生制御手段４１の機能により、ＲＡＭ３３から読み出した周波数特性の変換を行う利用者の変換録音データ３３ｃ及び周波数特性の変換を行わない利用者の生録音データ３３ｂとからなる歌唱録音データと、ＨＤＤ３４の楽曲データベース３４ａから抽出された演奏データと同等のカラオケ演奏音データとを合成して歌入りカラオケ演奏音データを作成し、この歌入りカラオケ演奏音データを、データ書込手段４３の機能によりＣＤ等の可搬型記録媒体に書き込む。なお、上述したように、音楽再生制御手段４１で歌入りカラオケ演奏音データを作成する際には、ミキシングアンプ２３に出力される演奏データ（アナログデータ）をＡ／Ｄ変換手段４０によりデジタル変換したカラオケ演奏音データが使用される。
【００５３】
＜他の実施形態＞
本発明の歌唱音声録音カラオケシステム及びその周辺装置を構成する機器や手段は上述したものに限定されず、その利用目的等に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５４】
上述した実施形態では、空気伝導による歌唱音声を入力するためのマイクとしてコンデンサマイク２５を用いたが、これをダイナミックマイクとしてもよい。また、カラオケシステムをスタンドアロンで使用した例を示しているが、各カラオケ店舗等に設置されたカラオケシステムを端末装置とし、インターネット回線等を用いて、端末装置とホスト装置とをネットワーク接続した構成とすることもできる。この場合には、ホスト装置において、利用者情報である利用者ＩＤや利用者別周波数変換データ等を集中管理することにより、ネットワーク接続されたカラオケ演奏端末であれば、どのカラオケ演奏端末を利用した場合であっても同様のサービスを提供することができる。
【符号の説明】
【００５５】
１１  カラオケシステム
２１  カラオケ本体
２２  カラオケリモコン装置
２２ａ  選曲手段
２２ｂ  入出力手段
２２ｃ  楽曲索引データベース
２２ｄ  利用者ＩＤ取得手段
２３  ミキシングアンプ
２４  骨伝導マイク
２５  コンデンサマイク
２６  スピーカ
２７  表示装置
２８  ＩＤ媒体
３１  中央制御手段
３２  ＲＯＭ
３３  ＲＡＭ
３３ａ  予約待ち行列
３３ｂ  生録音データ
３３ｃ  変換録音データ
３４  ＨＤＤ
３４ａ  楽曲データベース
３４ｂ  映像データベース
３４ｃ  利用者別周波数変換データベース
３５  送受信手段
３６  予約管理手段
３７  ログイン利用者管理手段
３８  周波数変換データ取得手段
３９  変換録音データ作成手段
４０  Ａ／Ｄ変換手段
４１  音楽再生制御手段
４２  映像再生制御手段
４３  データ書込手段
【図１】
2010176042.tif 000003
【図２】
2010176042.tif 000004
【図３】
2010176042.tif 000005
【図４】
2010176042.tif 000006
【図５】
2010176042.tif 000007
【図６】
2010176042.tif 000008